(57)【要約】      （修正有）【課題】子供に着付けする際に容易に着付けを行うことができる袴の提供。【解決手段】上衣１の前側に、袴下帯部材２と、当該袴下帯部材の上端側が０．５〜３ｃｍの幅で見えるようにして袴の前身頃３が縫着され、上衣１の後ろ側には袴の後身頃が縫着され、後身頃の上端側に後ろ紐５が縫着され、上衣１の衿部には半衿６が縫着され、上衣１の左右下端が、袴の笹ひだ下端７の内側で固定されている。上衣１の衿合わせ部には、左右の衿の位置を固定する留め具８ａ、８ｂが取り付けられており、半衿６の衿合わせ部には、左右の半衿の位置を固定する留め具９ａ、９ｂが取り付けられており、後ろ紐５の長手方向の両端側部分に、着用者の腰回りの前方あるいは側方の位置にて互いに着脱自在に係合する面ファスナー１０ａ、１０ｂが設けられており、後身頃の上端側の内面には、後身頃に膨らみを付与する小枕状クッション体が取り付けられている。【選択図】図１
0003221724.tif 000002
【実用新案登録請求の範囲】
【請求項１】
上衣の前側に、袴下帯部材と、当該袴下帯部材の上端側が０．５〜３ｃｍの幅で見えるようにして袴の前身頃が縫着されており、当該上衣の後ろ側には、袴の後身頃が縫着され、当該袴の後身頃の上端側に後ろ紐が縫着されていること、
前記上衣の衿部には半衿が縫着されており、前記上衣の左右下端が、袴の笹ひだ下端の内側位置で固定されていること、
前記上衣の衿合わせ部分には、重なり合う左右の衿の位置を固定する一対の留め具が取り付けられており、前記半衿の衿合わせ部分にも、重なり合う左右の半衿の位置を固定する一対の留め具が取り付けられていること、
前記後ろ紐の長手方向の両端側部分に、着用者の腰回りの前方あるいは側方の位置にて互いに着脱自在に係合する一対の面ファスナーが設けられていること、及び
前記袴の後身頃の上端側の内面に、当該後身頃に膨らみを付与する小枕状クッション体が取り付けられていること
を特徴とする袴。
【請求項２】
前記後ろ紐に、前記袴の前身頃側に位置するリボンが取り付けられていることを特徴とする請求項１に記載の袴。
【考案の詳細な説明】
【技術分野】
【０００１】
本考案は、袴、特に子供に着付けする際に容易に着付けを行うことができる、上衣と一体化した袴に関するものである。
【背景技術】
【０００２】
袴は、例えば下記の特許文献１に記載されるようにして、着物（上衣）を着用した後、袴の上部から足を入れ、袴に備えられた紐を結び、袴を腹〜腰周りで固定することによって着用される。この際、着用時に結ばれる紐の結び方は特定の結び方が採用されるが、袴の紐を結ぶにはある種のコツが必要であり、特定の結び方で結ばれていない場合には、紐が容易にほどけるか又は緩んでしまうという問題点があった。
又、袴を着用するためには、帯に対する袴前身頃の位置合わせや、帯の結び目に対する袴後ろ身頃の位置合わせなど、種々の位置合わせが必要であることに加えて、帯や複数の紐を結ぶ作業が必要であり、その作業は非常に複雑である。
【０００３】
更に最近では、小学校の卒業式等において、袴を着用する機会が増加しつつあるが、子供に袴を着用させる際に着付けに手間がかかるだけでなく、着崩れした際に本人では対処が難しいという問題があった。
【先行技術文献】
【特許文献】
【０００４】
【特許文献１】特開２００６−１９３８７７号公報
【考案の概要】
【考案が解決しようとする課題】
【０００５】
そこで、本考案は、上記の実情に鑑み、子供に着付けする際に容易に着付けを行うことが可能な袴を提供することを課題とする。
【課題を解決するための手段】
【０００６】
本考案者は、種々検討を行った結果、上衣（着物）の前側に、袴下帯部材（擬似袴下帯）と、当該袴下帯部材の上端側が１〜３ｃｍの幅で見えるようにして袴の前身頃を縫着し、上衣の後ろ側に、袴の後身頃を縫着し、後身頃の上端側に後ろ紐を縫着し、上衣の衿部に半衿を縫着し、上衣の左右下端を、袴の笹ひだ下端の内側位置に固定した構造の袴とすることによって、袴の下側から上半身を入れて上衣と袴を同時に着用でき、しかも、上衣の衿合わせ部分と、半衿の衿合わせ部分に設けた留め具を留めるだけで簡単に衿元を美しく整えることができ、袴の後身頃に縫着された後ろ紐の長手方向の両端側部分に設けられた一対の面ファスナーを、前身頃の上端側部分にて互いに係合させることで簡単に後ろ紐を固定することができ、袴の後身頃の上端側の内面に、後身頃に膨らみを付与する小枕形状のクッション体を設けることにより、きれいな着付けの仕上がりとなることを見出して、本考案を完成した。
【０００７】
上記の課題を解決可能な本考案の袴は、
上衣の前側に、袴下帯部材と、当該袴下帯部材の上端側が０．５〜３ｃｍの幅で見えるようにして袴の前身頃が縫着されており、当該上衣の後ろ側には、袴の後身頃が縫着され、当該袴の後身頃の上端側に後ろ紐が縫着されていること、
前記上衣の衿部には半衿が縫着されており、前記上衣の左右下端が、袴の笹ひだ下端の内側位置で固定されていること、
前記上衣の衿合わせ部分には、重なり合う左右の衿の位置を固定する一対の留め具が取り付けられており、前記半衿の衿合わせ部分にも、重なり合う左右の半衿の位置を固定する一対の留め具が取り付けられていること、
前記後ろ紐の長手方向の両端側部分に、着用者の腰回りの前方あるいは側方の位置にて互いに着脱自在に係合する一対の面ファスナーが設けられていること、及び
前記袴の後身頃の上端側の内面に、当該後身頃に膨らみを付与する小枕状クッション体が取り付けられていること
を特徴とする。
【０００８】
又、本考案は、上記の特徴を有した袴において、前記後ろ紐に、前記袴の前身頃側に位置するリボンが取り付けられていることを特徴とするものでもある。
【考案の効果】
【０００９】
本考案の袴は、上衣（着物）と袴が縫着されてなるワンピース型であり、かつ、袴下帯に見える部材（袴下帯部材）も縫着により一体化されているため、着用する際の、帯に対する袴前身頃の位置合わせや、帯の結び目に対する袴後ろ身頃の位置合わせなど、種々の位置合わせが不要であり、又、帯や複数の紐を結ぶ作業も不要であるので、容易に着付けを行うことができる。このため、本考案の袴は、特に、子供に着用させるのに適しており、簡単に美しい着付けの仕上がりが得られる。又、全てのパーツが縫着により一体化されているため、着崩れが生じにくい。
【図面の簡単な説明】
【００１０】
【図１】本考案の袴の、上半身衿元から腰にかけての構造を示す正面図（後ろ紐５の両端側部分に設けられた面ファスナー１０ａ、１０ｂを係合する前の状態）である。
【図２】本考案の袴を構成する上衣１及び半衿６の衿合わせ部分の構造を示す拡大図（それぞれの衿合わせ部分に取り付けられた留め具８ａ、８ｂ、９ａ、９ｂを留める前の状態）である。
【図３】図２に示された留め具８ａ、８ｂ、９ａ、９ｂを留めた後の衿元の状態を示す拡大図である。
【図４】後ろ紐５の両端側部分に設けられた面ファスナー１０ａ、１０ｂを腰の位置で係合した後の状態を示す正面図であり、後ろ紐５に取り付けられたリボン１２の位置を調整した後の状態が示されている。
【図５】後ろ紐５の長手方向の両端側部分に設けられた面ファスナーを係合した後の状態を示す背面図であり、点線によって、袴の後身頃４の上端側の位置（腰部）に設けられた小枕状クッション体１１の位置が示されている。
【図６】袴の後身頃４に設けられた小枕状クッション体１１によって付与される、後身頃４の膨らみを示す図である。
【図７】本考案の袴を着用した際の外観（着付け終了状態）を示す図である。
【考案を実施するための形態】
【００１１】
以下、本考案の袴の好ましい具体例を、図面を用いて説明するが、本考案は図面に例示したものに限定されるものではない。
本考案の袴では、図１に示されるように、前合わせした状態の上衣１の前側に、袴下帯部材（擬似袴下帯）２と、当該袴下帯部材２の上端側が０．５〜３ｃｍの幅で見えるようにして袴の前身頃３が縫着されており、上衣１の後ろ側（図１には図示されていない）には、袴の後身頃４が縫着されており、この後身頃４の上端側には、着用者の腰部に巻き付けて使用される後ろ紐５が縫着されている。
そして、上衣１の衿部には半衿６が縫着されており、上衣１の右前身頃と左前身頃は、袴の前身頃３の上端側部分にある縫着位置において互いに縫着され、上衣１の丈は、袴の前身頃３と後身頃４から形成される袴の笹ひだの部分から上衣１が見えるように、上衣１の下端が、袴の笹ひだ下端７の位置よりも下となる長さになっている。尚、上衣１の左右下端は、袴の笹ひだ下端７の内側位置において固定されている。
【００１２】
又、この上衣１の衿合わせ部分には、図２に示されるようにして、重なり合う左右の衿の位置を固定するための一対の留め具８ａ、８ｂが取り付けられており、半衿６の衿合わせ部分にも、重なり合う左右の半衿６の位置を固定するための一対の留め具９ａ、９ｂが取り付けられている。図２に例示した上衣１においては、留め具８ａ、８ｂ、９ａ、９ｂとして、雄雌のスナップボタンが取り付けられているが、本考案におけるこれらの留め具は、面ファスナーであっても、鉤状フックとその係止環であっても、ボタンとボタン孔等であっても良い。
本考案の袴において、これら留め具が設けられているのは、着用の際に留め具を外した状態とすることにより、上衣１の衿合わせ部分が大きく開くようにし、着用者の頭、両手を上衣１に通してから留め具を留め、左右の衿を合わせ、上衣及び半衿の衿部分の形を美しく整えることができるようにするためである。
図３には、内側にある半衿６に取り付けられた留め具９ａと９ｂを留めた後に、上衣１の衿合わせ部分に取り付けられた留め具８ａと８ｂを留めた後の状態が示されている。
【００１３】
又、本考案では、後ろ紐５の長手方向の両端側部分に、着用者の腰回りの前方あるいは側方の位置で互いに着脱自在に係合する面ファスナー１０ａ、１０ｂが設けられており、これにより、従来の袴のような前紐や後ろ紐を使用しなくても簡単に、後ろ紐５を着用者の腰部に巻き付けて最適な位置で袴を固定することができる。
図４には、後ろ紐５に設けられた面ファスナー１０ａと１０ｂを腰部の位置で係合させた際の状態が示されており、本考案では、図４のようにして、後ろ紐５に、袴の前身頃３の側に位置するリボン１２を取り付けることが好ましい。
本考案では、後ろ紐５の長手方向の両端側部分に設けられる面ファスナー１０ａと１０ｂのうちの一方の長さを、紐方向に長いものとすることが好ましく、これにより、着用者の腰回りの寸法に応じて、面ファスナー１０ａと１０ｂの係合位置を広範囲で調整することができる。
【００１４】
更に、本考案の袴においては、袴の後身頃４の上端側の内面に、当該後身頃４に膨らみを付与する小枕状クッション（模擬帯結び体）１１が取り付けられており、図５の背面図には、点線によって小枕状クッション体１１の位置が示されている。又、図６には、小枕状クッション体１１によって付与される後身頃の膨らみ状態が示されている。
本考案では、このような小枕状クッション体１１を設けることによって、袴の着付けの際に生じる帯の結び目による膨らみと同様の膨らみを後身頃４に付与することができ、着用時の外観が非常に良好なものとなる。尚、この小枕状クッション体１１は、後身頃４に縫着されてもよく、着脱可能に設けられてもよい。
図７には、本考案の袴を着用した際の外観（着付け終了状態）が示されており、本考案の袴を着用した場合には、簡単に美しい着付けの仕上がりが得られる。
【００１５】
本考案の袴を着用する際、先ず、袴の下側から上半身を入れて体全体を通し、半衿の衿合わせ部分に設けた留め具と、上衣の衿合わせ部分に設けた留め具をそれぞれ留め、奥衿の部分を軽くつまんで後ろに引き、衿元の形を整える。
次に、袴の後身頃に縫着された後ろ紐を、袴の前身頃側に回し、後ろ紐の両端側部分に設けられた一対の面ファスナーを、袴下帯部材の上端側が０．５〜３ｃｍの幅で見えるようにして、腰横又は袴の前身頃の位置で互いに係合させる。最後に、後ろ紐に取り付けられたリボンの位置を調整すれば、きれいな着付けの仕上がりが得られる。
【符号の説明】
【００１６】
１  上衣
２  袴下帯部材（擬似袴下帯）
３  前身頃
４  後身頃
５  後ろ紐
６  半衿
７  袴の笹ひだ下端
８ａ、８ｂ  留め具
９ａ、９ｂ  留め具
１０ａ、１０ｂ  面ファスナー
１１  小枕状クッション体
１２  リボン
【図１】
0003221724.tif 000003
【図２】
0003221724.tif 000004
【図３】
0003221724.tif 000005
【図４】
0003221724.tif 000006
【図５】
0003221724.tif 000007
【図６】
0003221724.tif 000008
【図７】
0003221724.tif 000009